(57)【要約】【課題】将来（特に老後）における生活に対する満足度を評価可能な装置、方法、およびプログラムを実現する。【解決手段】本発明に係るシステム１は、使用者の行動に係る数値である行動数値の測定を行い、少なくとも１つの行動数値に基づいて、当該使用者の行動の、健康に対する適正度を指数化した健康指数を演算可能な健康指数演算部２１と、使用者の感情の動きについて指数化した情動指数を演算可能な情動指数演算部２２と、健康指数および情動指数に基づいて予測される、将来における使用者の生活に対する満足度を指数化した将来生活満足度指数を演算可能な将来生活満足度指数演算部２３と、を備えることを特徴とする。【選択図】図１
2020154459.tif 000002
【特許請求の範囲】
【請求項１】
使用者の行動に係る測定値である行動数値の少なくとも１つに基づいて、当該使用者の行動の、健康に対する適正度を指数化した健康指数を演算可能な健康指数演算部と、
前記使用者の感情の動きについて指数化した情動指数を演算可能な情動指数演算部と、
前記健康指数および前記情動指数に基づいて予測される、将来における前記使用者の生活に対する満足度を指数化した将来生活満足度指数を演算可能な将来生活満足度指数演算部と、を備える将来における生活に対する満足度を予測するシステム。
【請求項２】
前記行動数値は、前記使用者の歩数、前記使用者の血糖値、前記使用者の睡眠時間、および、前記使用者の排便回数、の少なくとも１つを含む請求項１に記載のシステム。
【請求項３】
前記健康指数演算部は、
前記使用者の歩数に基づいて演算される歩行健康指数、
前記使用者の血糖値および食事内容の少なくとも１つに基づいて演算される食事健康指数、
前記使用者の睡眠時間および睡眠の質の少なくとも１つに基づいて演算される睡眠健康指数、および、
前記使用者の排便回数および排便の質の少なくとも１つに基づいて演算される排便健康指数、の少なくとも１つに基づいて、前記健康指数を演算可能な請求項１または２に記載のシステム。
【請求項４】
前記情動指数演算部は、前記使用者が、喜び、怒り、楽しみ、悲しみ、および驚きの少なくとも１つの感情を感じた度合いに基づいて、前記情動指数を演算可能な請求項１〜３のいずれか１項に記載のシステム。
【請求項５】
前記使用者の入力操作を受け付ける入力部を備え、
前記情動指数演算部は、前記使用者による、前記少なくとも１つの感情を感じた度合いについての入力に基づいて、前記情動指数を演算可能な請求項４に記載のシステム。
【請求項６】
前記行動数値の測定を、前記使用者が装着するウェアラブル端末により行う請求項１〜５のいずれか１項に記載のシステム。
【請求項７】
使用者の行動に係る数値である行動数値の測定を行う測定工程と、
少なくとも１つの前記行動数値に基づいて、当該使用者の行動の、健康に対する適正度を指数化した健康指数を、コンピュータにより演算する健康指数演算工程と、
前記使用者の感情の動きについて指数化した情動指数を演算する情動指数演算工程と、
前記健康指数および前記情動指数に基づいて予測される、将来における前記使用者の生活に対する満足度を指数化した将来生活満足度指数を演算する将来生活満足度指数演算工程と、を備える将来における生活に対する満足度を予測する方法。
【請求項８】
使用者の行動に係る数値である行動数値の測定を行う測定機能と、
少なくとも１つの前記行動数値に基づいて、当該使用者の行動の、健康に対する適正度を指数化した健康指数を演算する健康指数演算機能と、
前記使用者の感情の動きについて指数化した情動指数を演算する情動指数演算機能と、
前記健康指数および前記情動指数に基づいて予測される、将来における前記使用者の生活に対する満足度を指数化した将来生活満足度指数を演算する将来生活満足度指数演算機能と、をコンピュータに実行させる将来における生活に対する満足度を予測するプログラム。
【発明の詳細な説明】
【技術分野】
【０００１】
本発明は、将来における生活に対する満足度を予測するシステム、方法、およびプログラムに関する。
【背景技術】
【０００２】
人間の長寿命化に伴い、充実した老後を過ごしたいと考える人が増えている。人間は年齢を重ねると身体機能が低下し、健康を損ないやすくなるため、将来、特に老後における健康状態の予測および維持に関心が持たれている。
【０００３】
たとえば、特開２０１６−１７４７１５号公報（特許文献１）には、健康寿命の延伸効果を評価する方法が開示されている。この方法によれば、医療・介護分野における行為に限らず、その周辺のヘルスケアビジネス分野における行為についても、健康寿命の延伸効果を評価できる。すなわち、この技術によって、将来（特に老後）における健康状態の良し悪しを評価できるだろう。
【０００４】
また、特開２０１６−１５７１９９号公報（特許文献２）には、対象者のバイタルデータ（体温、血圧など）に基づいて対象者の体調の変化を検知するとともに、その体調の変化に係る緊急度を判断し、緊急度の高低に応じて必要な相手に通報する遠隔健康管理システムが開示されている。すなわち、この技術によって、短期的または中期的な将来の健康状態を予測できるだろう。
【先行技術文献】
【特許文献】
【０００５】
【特許文献１】特開２０１６−１７４７１５号公報
【特許文献２】特開２０１６−１５７１９９号公報
【発明の概要】
【発明が解決しようとする課題】
【０００６】
ところで、充実した老後を過ごすためには、肉体の健康状態が良いのみでは不十分であって、精神面においても健康であり、対象者自身が日々の生活に心身ともに満足感を抱くことが必要である。したがって、特許文献１および２のような技術では肉体の健康状態に係る評価または予測ができるのみであるので、充実した老後を過ごせるか否かの評価および予測のためには不十分であった。
【０００７】
そこで、将来（特に老後）における生活に対する満足度を評価可能な装置、方法、およびプログラムの実現が求められる。
【課題を解決するための手段】
【０００８】
本発明に係る将来における生活に対する満足度を予測するシステムは、使用者の行動に係る測定値である行動数値の少なくとも１つに基づいて、当該使用者の行動の、健康に対する適正度を指数化した健康指数を演算可能な健康指数演算部と、前記使用者の感情の動きについて指数化した情動指数を演算可能な情動指数演算部と、前記健康指数および前記情動指数に基づいて予測される、将来における前記使用者の生活に対する満足度を指数化した将来生活満足度指数を演算可能な将来生活満足度指数演算部と、を備えることを特徴とする。
【０００９】
また、本発明に係る将来における生活に対する満足度を予測する方法は、使用者の行動に係る数値である行動数値の測定を行う測定工程と、少なくとも１つの前記行動数値に基づいて、当該使用者の行動の、健康に対する適正度を指数化した健康指数を、コンピュータにより演算する健康指数演算工程と、前記使用者の感情の動きについて指数化した情動指数を演算する情動指数演算工程と、前記健康指数および前記情動指数に基づいて予測される、将来における前記使用者の生活に対する満足度を指数化した将来生活満足度指数を演算する将来生活満足度指数演算工程と、を備えることを特徴とする。
【００１０】
また、本発明に係る将来における生活に対する満足度を予測するプログラムは、使用者の行動に係る数値である行動数値の測定を行う測定機能と、少なくとも１つの前記行動数値に基づいて、当該使用者の行動の、健康に対する適正度を指数化した健康指数を演算する健康指数演算機能と、前記使用者の感情の動きについて指数化した情動指数を演算する情動指数演算機能と、前記健康指数および前記情動指数に基づいて予測される、将来における前記使用者の生活に対する満足度を指数化した将来生活満足度指数を演算する将来生活満足度指数演算機能と、をコンピュータに実行させることを特徴とする。
【００１１】
これらの構成によれば、心身の両側面に基づいて、生活に対する満足度を評価できる。
【００１２】
以下、本発明の好適な態様について説明する。ただし、以下に記載する好適な態様例によって、本発明の範囲が限定されるわけではない。
【００１３】
本発明に係るシステムは、一態様として、前記行動数値は、前記使用者の歩数、前記使用者の血糖値、前記使用者の睡眠時間、および、前記使用者の排便回数、の少なくとも１つを含むことが好ましい。
【００１４】
この構成によれば、健康指数与える影響が大きい項目についての実測値に基づいて、健康指数を演算できる。
【００１５】
本発明に係るシステムは、一態様として、前記健康指数演算部は、前記使用者の歩数に基づいて演算される歩行健康指数、前記使用者の血糖値および食事内容の少なくとも１つに基づいて演算される食事健康指数、前記使用者の睡眠時間および睡眠の質の少なくとも１つに基づいて演算される睡眠健康指数、および、前記使用者の排便回数および排便の質の少なくとも１つに基づいて演算される排便健康指数、の少なくとも１つに基づいて、前記健康指数を演算可能なことが好ましい。
【００１６】
この構成によれば、健康指数与える影響が大きい項目についての実測値および実績内容に基づいて、健康指数を演算できる。
【００１７】
本発明に係るシステムは、一態様として、前記情動指数演算部は、前記使用者が、喜び、怒り、楽しみ、悲しみ、および驚きの少なくとも１つの感情を感じた度合いに基づいて、前記情動指数を演算可能なことが好ましい。
【００１８】
この構成によれば、情動指数の指数化に係る基準をより具体化できるので、情動指数を向上するためのフィードバックが得られやすい。
【００１９】
本発明に係るシステムは、一態様として、前記使用者の入力操作を受け付ける入力部を備え、前記情動指数演算部は、前記使用者による、前記少なくとも１つの感情を感じた度合いについての入力に基づいて、前記情動指数を演算可能なことが好ましい。
【００２０】
この構成によれば、使用者自身の情動に係る自己評価を反映して、情動指数を演算できる。
【００２１】
本発明に係るシステムは、一態様として、前記行動数値の測定を、前記使用者が装着するウェアラブル端末により行うことが好ましい。
【００２２】
この構成によれば、使用者が特に意識せずとも行動数値を測定できるので、行動数値の測定がより容易である。
【００２３】
本発明のさらなる特徴と利点は、図面を参照して記述する以下の例示的かつ非限定的な実施形態の説明によってより明確になるであろう。
【図面の簡単な説明】
【００２４】
【図１】本発明の実施形態に係るスマートウォッチの構成図
【図２】本発明の実施形態に係る将来生活満足度指数のプロット例
【発明を実施するための形態】
【００２５】
本発明に係る、将来における生活に対する満足度を予測するシステム、方法、およびプログラムの実施形態について、図面を参照して説明する。以下では、スマートウォッチ１０（ウェアラブル端末の例）とサーバ装置２０とを備えるシステム１を用いて、将来における生活に対する満足度を予測する方法を例として説明する。ここで、スマートウォッチ１０およびサーバ装置２０には、本発明に係る将来における生活に対する満足度を予測するプログラムがインストールされている。
【００２６】
なお、本願の特許請求の範囲、明細書、図面、および要約書において、「ウェアラブル端末」とは、使用者の身体に装着可能に構成された電子機器をいう。また、「スマートウォッチ」とは、使用者の腕部に装着可能な腕時計状のウェアラブル端末をいう。
【００２７】
〔システムの基本構成〕
図１に示すように、システム１は、スマートウォッチ１０とサーバ装置２０とを備える。スマートウォッチ１０は、タッチパネル１１（入力部の例）、検知部１２、端末制御部１３、および端末通信部１４を有する。サーバ装置２０は、健康指数演算部２１、情動指数演算部２２、将来生活満足度指数演算部２３、記憶部２４、サーバ制御部２５、およびサーバ通信部２６を有する。スマートウォッチ１０とサーバ装置２０とは、端末通信部１４およびサーバ通信部２６の通信機能により、ネットワークＮＷを介して互いに通信可能に構成されている。なお、特記していなくても、端末制御部１３はスマートウォッチ１０の各部の動作を制御し、サーバ制御部２５はサーバ装置２０の各部の動作を制御する。
【００２８】
検知部１２は、加速度センサ１２１、角速度センサ１２２、反射光型脈波センサ１２３、および位置センサ１２４、を有する。
【００２９】
〔健康指数演算機能〕
健康指数の演算にあたり、検知部１２は、使用者の歩行および睡眠（いずれも行動の例）についての測定を行う。具体的には、加速度センサ１２１、角速度センサ１２２、および位置センサ１２４による歩数（行動数値の例）の測定、ならびに、加速度センサ１２１、角速度センサ１２２、および反射光型脈波センサ１２３による睡眠時間（行動数値の例）および睡眠の質（中途覚醒の有無、レム睡眠およびノンレム睡眠の割合など）の測定を行う。測定された歩数ならびに睡眠時間および睡眠の質は、スマートウォッチ１０からサーバ装置２０に送信され、記憶部２４に記憶される。
【００３０】
また、タッチパネル１１は、使用者の食事内容（メニュー、量、および摂取時刻など）、睡眠の質（中途覚醒の有無、夢の有無、起床後の疲労感の有無など）、ならびに、排便回数および排便の質（排便時刻、大便の色、硬さ、形状など）、に関する情報の入力を受け付ける。これらの情報も、スマートウォッチ１０からサーバ装置２０に送信され、記憶部２４に記憶される。
【００３１】
健康指数演算部２１は、記憶部２４に記憶された各情報に基づいて、使用者の歩行に関する歩行健康指数、使用者の食事に関する食事健康指数、使用者の睡眠に関する睡眠健康指数、および、使用者の排便に関する排便健康指数を、それぞれ０〜５点に指数化する。
【００３２】
歩行健康指数は、１日あたりの歩数が９０００歩以上であれば５点、７５００歩以上９０００歩未満であれば４点、６０００歩以上７５００歩未満であれば３点、４５００歩以上６０００歩未満であれば２点、３０００歩以上４５００歩未満であれば１点、３０００歩未満であれば０点、とする。
【００３３】
食事健康指数は、食事内容に係る入力情報から推定される血糖値が、１日を通じて８０〜１４０ｍｇ／ｄＬの範囲内にあれば５点とし、８０〜１４０ｍｇ／ｄＬからの乖離の大きさおよび頻度に応じて４〜０点とする。
【００３４】
睡眠健康指数は、睡眠時間が７時間以上であり、かつ、使用者が睡眠後に疲労感を感じていなければ５点とし、睡眠時間の短縮および起床後の疲労感に応じて４〜０点とする。
【００３５】
排便健康指数は、１日１回、普通便の排便があれば５点とし、排便回数の減少および便質の悪化（軟便など）に応じて４〜０点とする。
【００３６】
そして、健康指数演算部２１は、歩行健康指数、食事健康指数、睡眠健康指数、および排便健康指数を合計し、健康指数を演算する。健康指数を構成する４つの指数が０〜５点であることから、健康指数は０〜２０点で表される。演算された健康指数は記憶部２４に記憶される。
【００３７】
〔情動指数演算機能〕
情動指数の演算にあたり、タッチパネル１１は、使用者の感情に関する情報の入力を受け付ける。具体的には、「笑う‐怒る」軸（「喜び‐怒り」軸）、「楽しい‐辛い」軸（「楽しみ−悲しみ」軸）、および「驚き‐マンネリ」軸（「刺激‐マンネリ」軸）の３つの感情軸について、それぞれの感情を感じた度合いを使用者自身が５段階で指数化し、その指数値についての入力を受け付ける。各軸に係る指数は、それぞれ、「笑う」（喜び）、「楽しい」（楽しみ）、「驚き」の各感情が大きいほど５点とし、反対に「怒る」（怒り）、「辛い」（悲しみ）、「マンネリ」（驚かない）の各感情が大きいほど０点とする。入力された各感情軸に関する指数は、スマートウォッチ１０からサーバ装置２０に送信され、記憶部２４に記憶される。
【００３８】
情動指数演算部２２は、３つの感情軸の指数を合計し、情動指数を演算する。情動指数を構成する３つの指数が０〜５点であることから、情動指数は０〜１５点で表される。演算された情動指数は記憶部２４に記憶される。
【００３９】
〔将来生活満足度指数演算機能〕
将来生活満足度指数演算部２３は、健康指数演算部２１により演算された健康指数と、情動指数演算部２２により演算された情動指数と、に基づいて、将来生活満足度指数を演算する。ここで、将来生活満足度指数とは、将来における対象者の生活に対する満足度を、現在の生活における物質的要素および精神的要素、より具体的には行動および感情に基づいて予測し、これを指数化したものである。本実施形態では、将来生活満足度指数はＡ〜Ｄの４段階に区分される。
【００４０】
図２に示すように、健康指数（横軸）に対して情動指数（縦軸）をプロットし、当該プロットがプロット図Ｐ上のどの領域にあるかによって、将来生活満足度指数を４つに分類する。プロットが第一領域３１（健康指数：１０〜２０点、情動指数：８〜１５点）にあるときは、将来生活満足度指数は「Ａ」であり、将来において生活に対する満足度が高いことが予測される。プロットが第二領域３２（健康指数：０〜１０点、情動指数：８〜１５点）にあるときは、将来生活満足度指数は「Ｂ」であり、将来の生活に対する満足度をより高くするためには、現在において行動面の生活改善が望まれる。プロットが第三領域３３（健康指数：１０〜２０点、情動指数：０〜７点）にあるときは、将来生活満足度指数は「Ｃ」であり、将来の生活に対する満足度をより高くするためには、現在において感情面の生活改善が望まれる。プロットが第四領域３４（健康指数：０〜１０点、情動指数：０〜７点）にあるときは、将来において生活に対する満足度が低いことが予測され、現在において行動および感情の両面で生活を改善することが望まれる。
【００４１】
上記のように指数化された将来生活満足度指数は、サーバ装置２０からスマートウォッチ１０に送信され、タッチパネル１１に表示される態様で、使用者に提示される。
【００４２】
〔その他の実施形態〕
最後に、本発明に係る、将来における生活に対する満足度を予測するシステム、方法、およびプログラムのその他の実施形態について説明する。なお、以下のそれぞれの実施形態で開示される構成は、矛盾が生じない限り、他の実施形態で開示される構成と組み合わせて適用することも可能である。
【００４３】
上記の実施形態では、システム１のスマートウォッチ１０が、検知部１２として加速度センサ１２１、角速度センサ１２２、反射光型脈波センサ１２３、および位置センサ１２４を有し、これらのセンサによって使用者の歩行および睡眠に係る測定を実施可能に構成された例について説明した。しかし、そのような構成に限定されることなく、本発明に係るシステムにおける行動数値は、使用者の行動について測定された数値である限り、任意の数値であってよい。なお、本発明に係るシステムにおける行動数値が、使用者の歩数、血糖値、睡眠時間、および排便回数の少なくとも１つを含むと、使用者の行動の健康に対する適正度を正確に指数化しやすいため、好ましい。
【００４４】
また、本発明に係るシステムは、測定対象とする行動数値を測定可能な検知部を備えてもよい。本発明に係るシステムは、たとえば、血糖値センサ、血中脂質センサなどの飲食に起因して変化する血中成分を測定しうるセンサを備えうる。これらの検知部は、本発明に係るシステムを構成する構成機器の一部として備えられてもよいし、歩数計、活動量計、睡眠計、血糖値計、脈波計、脳波計、表情を把握する測定機器、ならびに便器に付属する便および尿の量および成分の測定機器などの公知の測定機器を、本発明に係るシステムに組み入れてもよい。
【００４５】
あるいは、本発明に係るシステムは、他の測定機器により測定された行動数値に基づいて健康指数を演算可能に構成されてもよい。この場合、本発明に係るシステムは、当該測定機器と有線通信可能または無線通信可能に構成される。本発明に係るシステムは、たとえば、本発明に係るシステムとは別個の、歩数計、活動量計、睡眠計、血糖値計、脈波計、脳波計、表情を把握する測定機器、ならびに便器に付属する便および尿の量および成分の測定機器などの公知の測定機器と通信可能に構成されうる。
【００４６】
上記の実施形態では、健康指数演算部２１および情動指数演算部２２が、タッチパネル１１を介した使用者からの入力操作に基づいて、それぞれ健康指数および情動指数を演算する構成を例として説明した。しかし、そのような構成に限定されることなく、本発明に係るシステムは、使用者からの入力操作を、音声入力、キーボード、物理スイッチ（ボタン、ダイヤルなど）、静止画入力、動画入力、ジェスチャ入力などの公知の方法により受け付けうる。
【００４７】
上記の実施形態では、本発明に係るシステム１が、スマートウォッチ１０、すなわち腕時計型のウェアラブル端末を備える構成を例として説明した。しかし、そのような構成に限定されることなく、本発明に係るシステムが、その構成要素の一部または全部をウェアラブル端末として備える場合、アームバンド型、ブレスレット型、アンクレット型、眼鏡型、帽子型、衣服型、貼付型、指輪型、イヤリング型、イヤホン型、靴型、靴のインソール型、マウス型、スマートフォンケース型など、人体に装着可能な任意の形態でありうる。
【００４８】
上記の実施形態では、本発明に係るシステム１の各構成要素が、スマートウォッチ１０およびサーバ装置２０の２つの構成機器に分散して備えられた構成を例として説明した。しかし、そのような構成に限定されることなく、本発明に係るシステムの各構成要素は、全てが１つの機器に備えられてもよいし、３つ以上の構成機器に分散して備えられてもよい。たとえば、上記の実施形態で説明したシステム１において、スマートウォッチ１０のタッチパネル１１から各種の情報を入力する構成に替えて、スマートフォン、タブレット端末、パーソナルコンピュータ、などの公知の情報端末を介して、各種の情報を入力するように構成してもよい。すなわち、本発明に係るシステムは、たとえば、ウェアラブル端末、情報端末、およびサーバ装置の３つの構成機器から構成されうる。
【００４９】
その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。したがって、本発明の趣旨を逸脱しない範囲で改変された別の実施形態も、当然、本発明の範囲に含まれる。
【産業上の利用可能性】
【００５０】
本発明は、たとえば、将来における使用者の生活に対する満足度を指数化した将来生活満足度指数を演算可能なスマートウォッチに利用することができる。
【符号の説明】
【００５１】
１      ：システム
１０    ：スマートウォッチ
１１    ：タッチパネル
１２    ：検知部
１２１  ：加速度センサ
１２２  ：角速度センサ
１２３  ：反射光型脈波センサ
１２４  ：位置センサ
１３    ：端末演算部
１４    ：端末通信部
２０    ：サーバ装置
２１    ：健康指数演算部
２２    ：情動指数演算部
２３    ：将来生活満足度指数演算部
２４    ：記憶部
２５    ：サーバ制御部
２６    ：サーバ通信部
Ｐ      ：プロット図
３１  ：プロット図Ｐの第一領域
３２  ：プロット図Ｐの第二領域
３３  ：プロット図Ｐの第三領域
３４  ：プロット図Ｐの第四領域
【図１】
2020154459.tif 000003
【図２】
2020154459.tif 000004